(57)【要約】【課題】エントランスのオートドア解錠時に、不審者が一緒に棟内に不正侵入を防止することができる集合住宅インターホンシステムを提供することを目的とする。【解決手段】集合玄関に設置された集合玄関機と、各居室に設置された居室親機と、集合玄関機前に設置された入場前重さセンサと、集合住宅入り口の手前オートドアを通過後に設置された入場後重さセンサを備えた集合住宅インターホンシステムにおいて、集合玄関機には、入場前重さセンサによって測定された入場前重さと入場後重さセンサによって測定された入場後重さを比較する比較部と、比較部にて入場後重さが入場前重さよりも大きいと判断した時に発報する発報部を備えたことを特徴とする。【選択図】図１
2010154015.tif 000002
【特許請求の範囲】
【請求項１】
集合玄関に設置された集合玄関機（１）と、各居室に設置された居室親機（２ａ、２ｂ、・・・）と、前記集合玄関機前に設置された入場前重さセンサ（３ａ）と、集合住宅入り口の手前オートドア（４ａ）を通過後に設置された入場後重さセンサ（３ｂ）を備えた集合住宅インターホンシステムにおいて、
前記集合玄関機には、前記入場前重さセンサによって測定された入場前重さと前記入場後重さセンサによって測定された入場後重さを比較する比較部（１０５）と、前記比較部にて前記入場後重さが前記入場前重さよりも大きいと判断した時に発報する発報部（１０３）を備えたことを特徴とする集合住宅インターホンシステム。
【請求項２】
前記居室親機は、前記入場前重さセンサで測定した時、前記手前オートドアを解錠させることができる解錠ボタン（２０１ａ、２０１ｂ、・・・）を備えたことを特徴とする請求項１記載の集合住宅インターホンシステム。
【請求項３】
前記入場後重さセンサを通過した後に設置された奥オートドア（４ｂ）が備えられており、
前記比較部にて前記入場前重さと前記入場後重さを比較し、一致した時に、前記奥オートドアが開扉する制御を行うＣＰＵ（１０４）を備えたことを特徴とする請求項２記載の集合住宅インターホンシステム。
【発明の詳細な説明】
【技術分野】
【０００１】
本発明は集合住宅インターホンシステムに係り、特に、エントランスのオートドアを解錠したとき、不審者が一緒に棟内に不正侵入することを防止することができる集合住宅インターホンシステムに関する。
【背景技術】
【０００２】
従来、集合住宅のオートドアをインターホンシステムにより制御する技術が知られている。例えば、特許文献１には、居室親機の操作により玄関の発券機が来訪者に入場券を発行し、入場券を所持する来訪者のみがオートドアを解錠できるように構成したインターホンシステムが記載されている。
【特許文献１】特開２００３−１６９１５０号公報
【発明の開示】
【発明が解決しようとする課題】
【０００３】
従来例の集合住宅インターホンシステムは、来訪者の適正な操作に応答してオートドアを解錠することで、部外者または不審者の集合住宅内への侵入を抑制することができる。しかしながら、システム構成が大掛かりとなってしまいコストがかる上、来訪者が棟内に入る時に手間が増えてしまっていた。
【０００４】
本発明の目的は、この難点を解決するためになされたもので、エントランスのオートドア解錠時に、不審者が一緒に棟内に不正侵入を防止することができる集合住宅インターホンシステムを提供することを目的とする。
【課題を解決するための手段】
【０００５】
上記課題を解決するために、請求項１に記載の発明は、集合玄関に設置された集合玄関機と、各居室に設置された居室親機と、集合玄関機前に設置された入場前重さセンサと、集合住宅入り口の手前オートドアを通過後に設置された入場後重さセンサを備えた集合住宅インターホンシステムにおいて、集合玄関機には、入場前重さセンサによって測定された入場前重さと入場後重さセンサによって測定された入場後重さを比較する比較部と、比較部にて入場後重さが入場前重さよりも大きいと判断した時に発報する発報部を備えたことを特徴とする。
【０００６】
請求項２に記載の発明は、居室親機は、入場前重さセンサで測定した時、手前オートドアを解錠させることができる解錠ボタンを備えたことを特徴とする。
【０００７】
請求項３に記載の発明は、入場後重さセンサを通過した後に設置された奥オートドアが備えられており、前記比較部にて前記入場前重さと前記入場後重さを比較し、一致した時に、奥オートドアが開扉する制御を行うＣＰＵを備えたことを特徴とする。
【発明の効果】
【０００８】
本発明によれば、エントランスのオートドア解錠時に、不審者が一緒に棟内に不正侵入を防止することができる。
【発明を実施するための最良の形態】
【０００９】
以下、本発明による集合住宅インターホンシステムを適用した好ましい形態の実施例について、図を参照して説明する。図１は本発明のブロック構成図であり、集合玄関機１と、手前オートドア４ａを解錠させる解錠ボタン２０１ａ、２０１ｂ、・・・を備えた居室親機２ａ、２ｂ、・・・と、入場前重さセンサ３ａ、入場後重さセンサ３ｂと、手前オートドア４ａ、奥オートドア４ｂと、制御機５で構成されている。
集合玄関子機１は、居室親機２ａ、２ｂ、・・・と通話するための通話部１０１と、居室親機２ａ、２ｂ、・・・を呼出すための操作部１０２と、入場前重さセンサ３ａと入場後重さセンサ３ｂの重量を比較する比較部１０５と、比較部１０５にて前記入場後重さが入場前重さよりも大きいと判断した時に発報する発報部１０３と、集合玄関機１を制御するＣＰＵ１０４と、手前オートドアＩ／Ｆ１０６、奥オートドアＩ／Ｆ１０７、入場前重さセンサＩ／Ｆ１０８、入場後重さセンサＩ／Ｆ１０９、制御機Ｉ／Ｆ１１０を備えている。図２は、集合住宅をエントランスから見たときの図である。
【００１０】
このような集合住宅インターホンシステムにおいて動作説明を行う。集合玄関機１の操作部１０２を操作して、居室親機２ａ、２ｂ、・・・と通話する動作は従来知られている集合住宅インターホンシステムと同じであるため、省略する。
ここで、居住者または来訪者が居室親機２ａ、２ｂ、・・・を呼び出し、手前オートドア４ａを開扉する動作の説明を行う。
【００１１】
図２のように集合玄関機１の前に入場前重さセンサ３ａが設置されているため、来訪者は入場前重さセンサ３ａの上に立った状態で、操作部１０２を操作して居室親機２ａを呼び出す。すると、入場前重さセンサ３ａで測定された来訪者の入場前重さ情報が入場前重さセンサＩ／Ｆ１０８を経由して比較部１０５に送信される。すると、比較部１０５からの解錠許可信号はＣＰＵ１０４、制御機Ｉ／Ｆ１１０、制御機５を経由して居室親機２ａに送信される。このとき、居室親機２ａの解錠ボタン２０１ａを操作することが可能となり、解錠ボタン２０１ａを操作すると、居室親機２ａからの解錠信号は制御機５、制御機Ｉ／Ｆ１１０、ＣＰＵ１０４、手前オートドアＩ／Ｆ１０６を経由して手前オードドア４ａに送信され、手前オードドア４ａが開扉される。このとき、来訪者は開扉された手前オートドア４ｂを通過するが、図２のように奥オートドア４ｂが閉扉されているため、奥オートドア４ｂの手前で立ち止まこととなる。すると、手前オートドア４ａと奥オートドア４ｂの間に設置された入場後重さセンサ３ｂによって測定された入場後重さ情報は、入場後重さセンサ１０９を経由して比較部１０５に送信される。比較部１０５は、入場前重さと入場後重さを比較し、一致した時に、ＣＰＵ１０４からの解錠信号が奥オートドアＩ／Ｆ１０７を経由して奥オートドア４ｂに送信され、奥オートドア４ｂが開扉される。
【００１２】
このとき、来訪者と同時に来訪者以外の人物が入場後重さセンサ３ｂに立つと、来訪者及び来訪者以外の人物の入場後重さが、入場後重さセンサＩ／Ｆ１０９を経由して比較部１０５に送信される。すると、比較部１０５では、入場後重さが入場前重さより大きいと判断し、ＣＰＵ１０４を経由して発報部１０３にて不審者が侵入したことを発報する。
【００１３】
なお、入場前重さセンサ３ａと入場後重さセンサ３ｂの周囲の色分けを行うことで、来訪者にセンサの位置を知らせることができる。また、奥オートドア４ｂは、手前オートドア４ａが閉扉した時に、開扉するようにしても良い。さらに、入場後重さが、入場前重さと所定値を加えた値以内のときに、発報させないようにしても良い。
【図面の簡単な説明】
【００１４】
【図１】本発明にかかる集合住宅インターホンシステムの実施例を示すブロック構成図である。
【図２】本発明にかかる集合住宅インターホンシステムをエントランスから見た図である。
【符号の説明】
【００１５】
１・・・                        集合玄関機
１０３・・・                  発報部
１０５・・・                  比較部
２ａ、２ｂ、・・・              居室親機
３ａ・・・                      入場前重さセンサ
３ｂ・・・                      入場後重さセンサ
４ａ・・・                      手前オートドア
【図１】
2010154015.tif 000003
【図２】
2010154015.tif 000004